(57)【要約】【課題】フィルムにかかるコストを低減することができる包装用フィルム構造体を提供すること。【解決手段】矩形状の第１フィルムと第２フィルムとからなり、前記第１フィルムの対向する両側縁が折り返され、接着剤層を介して前記第１フィルムの非折り返し部と接着されて第１の空間と第２の空間が設けられ、前記第１フィルムの折り返された部位の少なくとも一部を覆うように第２フィルムが接着剤層を介して第１フィルムに被着され、第３の空間が設けられてなることを特徴としている。【選択図】図１
0003110823.tif 000002
【実用新案登録請求の範囲】
【請求項１】
矩形状の第１フィルムと第２フィルムとからなり、
前記第１フィルムの対向する両側縁が折り返され、接着剤層を介して前記第１フィルムの非折り返し部と接着されて第１の空間と第２の空間が設けられ、
前記第１フィルムの折り返された部位の少なくとも一部を覆うように第２フィルムが接着剤層を介して第１フィルムに被着され、第３の空間が設けられてなることを特徴とする包装用フィルム構造体。
【請求項２】
矩形状の第１フィルムと第２フィルムとからなり、
前記第１フィルムの対向する両側縁が折り返され、接着剤層を介して前記第１フィルムの非折り返し部と接続されて第１の空間と第２の空間が設けられ、
前記第１フィルムの非折り返し部の少なくとも一部を覆うように第２フィルムが接着剤層を介して第１フィルムに被着され、第３の空間が設けられてなることを特徴とする包装用フィルム構造体。
【請求項３】
矩形状の第１フィルムと第２フィルムとからなり、
前記第１フィルムの対向する両側縁が折り返され、接着剤層を介して前記第１フィルムの折り返された側縁と第１フィルムの折り返された側縁とが接続されて、第１の空間が設けられ、
前記第１フィルムの折り返された部位の少なくとも一部を覆うように第２フィルムが接着剤層を介して第１フィルムに被着され、第２の空間が設けられてなることを特徴とする包装用フィルム構造体。
【請求項４】
矩形状の第１フィルムと第２フィルムとからなり、
前記第１フィルムの対向する両側縁が折り返され、接着剤層を介して前記第１フィルムの折り返された側縁と第１フィルムの折り返された側縁とが接続されて、第１の空間が設けられ、
前記第１フィルムの非折り返し部の少なくとも一部を覆うように第２フィルムが接着剤層を介して第１フィルムに被着され、第２の空間が設けられてなることを特徴とする包装用フィルム構造体。
【請求項５】
前記第１フィルムおよび第２フィルムが熱収縮性フィルムである請求項１、２、３または４記載の包装用フィルム構造体。
【請求項６】
前記第１フィルムが熱収縮性フィルムからなり、前記第２フィルムが一般包装用材料からなる請求項１、２、３または４記載の包装用フィルム構造体。
【考案の詳細な説明】
【技術分野】
【０００１】
本考案は包装用フィルム構造体に関する。さらに詳しくは、矩形状の第１フィルムと第２フィルムとからなり、前記第１フィルムの対向する両側縁が折り返され、接着剤層を介して前記第１フィルムの非折り返し部と接着されて第１の空間と第２の空間が設けられた包装用フィルム構造体に関する。
【背景技術】
【０００２】
化粧品、トイレタリーなどの分野において使用される、２つ以上の製品を１つに包装するための複数物品結束包装材は、たとえば特許文献１に開示されている。
【０００３】
通常、熱収縮性フィルムは１枚の平面フィルムに製品名などの印刷をし、しかるのち、当該平面フィルム２を折り曲げ、２辺で折り重なった部分４を接着加工して貼り合わせて空間Ａをもつ筒状体１を形成したのち、参照符号Ｘに示されるヵ所で所定の寸法に截断し、二つの部分１ａ、１ｂに分割したのち、部分１ａを容器１０などの製品に被せ、熱収縮させてラベルとしている（図５、６参照）。
【０００４】
また、図７に示すように、平面フィルム２をｅ字状に折り曲げ、参照符号４および５に示される箇所で接着加工し貼り合わせて筒部Ａ、Ｂを２箇所設けて、２個の容器（商品）を結束することができるセットシュリンク１としている。
【０００５】
さらに、図８に示すように平面フィルム２を折り曲げ参照符号４および５に示される箇所で接着加工し貼り合わせて筒部Ａ、Ｂを２つ形成して、セットシュリンクだけでなく、能書を入れるためのポケットＢとして使用できるようにしている。
【０００６】
しかしながら、セットシュリンクの場合、平面フィルムにおける無地の領域が大きいため、印刷した１枚のフィルムを使用するとフィルムのコストが高くなるという問題がある。
【０００７】
【特許文献１】実用新案登録第３０２５９２０号
【考案の開示】
【考案が解決しようとする課題】
【０００８】
そこで、本考案は、フィルムにかかるコストを低減することができる包装用フィルム構造体を提供することを目的とする。
【課題を解決するための手段】
【０００９】
本考案の包装用フィルム構造体の第１の態様は、矩形状の第１フィルムと第２フィルムとからなり、
前記第１フィルムの対向する両側縁が折り返され、接着剤層を介して前記第１フィルムの非折り返し部と接着されて第１の空間と第２の空間が設けられ、
前記第１フィルムの折り返された部位の少なくとも一部を覆うように第２フィルムが接着剤層を介して第１フィルムに被着され、第３の空間が設けられてなることを特徴としている。
【００１０】
本考案の包装用フィルム構造体の第２の態様は、矩形状の第１フィルムと第２フィルムとからなり、
前記第１フィルムの対向する両側縁が折り返され、接着剤層を介して前記第１フィルムの非折り返し部と接続されて第１の空間と第２の空間が設けられ、
前記第１フィルムの非折り返し部の少なくとも一部を覆うように第２フィルムが接着剤層を介して第１フィルムに被着され、第３の空間が設けられてなることを特徴としている。
【００１１】
本考案の包装用フィルム構造体の第３の態様は、矩形状の第１フィルムと第２フィルムとからなり、
前記第１フィルムの対向する両側縁が折り返され、接着剤層を介して前記第１フィルムの折り返された側縁と第１フィルムの折り返された側縁とが接続されて、第１の空間が設けられ、
前記第１フィルムの折り返された部位の少なくとも一部を覆うように第２フィルムが接着剤層を介して第１フィルムに被着され、第２の空間が設けられてなることを特徴としている。
【００１２】
本考案の包装用フィルム構造体の第４の態様は、矩形状の第１フィルムと第２フィルムとからなり、
前記第１フィルムの対向する両側縁が折り返され、接着剤層を介して前記第１フィルムの折り返された側縁と第１フィルムの折り返された側縁とが接続されて、第１の空間が設けられ、
前記第１フィルムの非折り返し部の少なくとも一部を覆うように第２フィルムが接着剤層を介して第１フィルムに被着され、第２の空間が設けられてなることを特徴としている。
【００１３】
また、前記第１フィルムおよび第２フィルムを熱収縮性フィルムとすることができる。
【考案の効果】
【００１４】
本考案によれば、２枚のフィルムから構成されるため、第１フィルムまたは第２フィルムに印刷されている場合、第２フィルムまたは第１フィルムに無地フィルムを充当すれば印刷されたフィルムの幅を狭くでき、コストダウンにつながる。
【考案を実施するための最良の形態】
【００１５】
実施の形態１
図１および３を参照すると、本考案の包装用フィルム構造体１は、矩形状の第１フィルム２と第２フィルム３とから構成されている。
【００１６】
前記第１フィルム２の対向する両側縁２ｂ、２ｃが１８０度だけ折り返され、接着剤層８を介して前記第１フィルム２の非折り返し部２ａと参照符号４および５に示される部位で接着されて第１の空間Ａと第２の空間Ｂが設けられている。また、前記第１フィルム２の折り返された部位２ｂ、２ｃの少なくとも一部を覆うように参照符号６および７に示される部位で第２フィルム３が接着剤層８を介して第１フィルム２に被着され、第３の空間Ｃが設けられている。
【００１７】
この実施の形態では、第３の空間Ｃに、たとえば主製品としてのヘアトニック、第１の空間Ｂに試供品としてのシェービングフォーム、第２の空間に試供品としてのアフターシェービングローションを結束することができる。本実施の形態の包装用フィルム構造体に用いる熱収縮性フィルムとしては、たとえば、ポリ塩化ビニル系フィルム、ポリエチレンテレフタレートフィルムなどのポリエステル系フィルム、ポリスチレン系フィルム、ポリプロピレン系フィルムなどの１軸または２軸延伸フィルムが使用できる。熱収縮性フィルムの収縮率（１００℃の熱水中における値、以下同様）は、縦方向収縮率（フィルム構造体１の縦方向の収縮率）および横方向収縮率（フィルム構造体１の横方向の収縮率）がそれぞれ０〜７０％の範囲にあるのが適当である。また、熱収縮性フィルムの厚さは２０〜６０μｍ程度が適当である。しかし、本実施の形態の包装用フィルム構造体のうち、第２フィルム３には、熱収縮性フィルムのほか、たとえばポリエチレンテレフタレートフィルムなどポリエステル系フィルム、ポリプロピレン系フィルム、ナイロン系フィルムなどの一般の包装材料を使用することもできる。
【００１８】
本実施の形態の接着剤層８に用いられる接着剤としては、ポリエステル系フィルムには、たとえばテトラヒドラフラン（ＴＨＦ）、１，３−ジオキソランなどの溶剤、ポリエステル系フィルムには、たとえば酢酸エチル／アルコールとメチルエチルケトン（ＭＥＫ）／アルコールの混合液、そしてポリエステル系フィルムとポリプロピレン系フィルムの接着等には、たとえばウレタン系接着剤やポリエステル系接着剤があげられる。
【００１９】
また、実施の形態１の変形例としての包装用フィルム構造体１は、矩形状の第１フィルムと第２フィルムとから構成され、前記第１フィルム２の対向する両側縁２ｂ、２ｃは１８０度だけ折り返し、接着剤層８を介して前記第１フィルム２の非折り返し部２ａと接続して第１の空間Ａと第２の空間Ｂを設け、前記第１フィルム２の非折り返し部２ａの少なくとも一部を覆うように第２フィルム３を接着剤層８を介して第１フィルム２を被着して第３の空間Ｃを設けることもできる。
【００２０】
これは、図３に示される場合では、第１フィルム２の折り返し部２ｂ、２ｃ側に第２フィルム３を設けていたのに対して、非折り返し部２ａ側に第２フィルム３を設けるようにしたものである。
【００２１】
実施の形態２
また、図２および４を参照すると、本考案のさらに態様にかかわる包装用フィルム構造体１は、矩形状の第１フィルム２と第２フィルム３とから構成されている。
【００２２】
前記第１フィルム２の対向する両側縁２ｂ、２ｃは１８０度折り返され、接着剤層８を介して前記第１フィルム２の折り返された側縁２ｂと第１フィルム２の折り返された側縁２ｃとが参照符号４に示された部位で接続されて、第１の空間Ａが設けられている。
【００２３】
前記第１フィルム２の折り返された部位２ｂと２ｃの少なくとも一部を覆うように第２フィルム３を参照符号５および６に示される部位で接着剤層８を介して第１フィルム２に被着して、第２の空間Ｂを設けている。本実施の形態の包装用フィルム構造体に用いる熱収縮性フィルムとしては、前述の実施の形態１と同様に、たとえば、ポリ塩化ビニル系フィルム、ポリエチレンテレフタレートフィルムなどのポリエステル系フィルム、ポリスチレン系フィルム、ポリプロピレン系フィルムなどの１軸または２軸延伸フィルムが使用できる。熱収縮性フィルムの収縮率（１００℃の熱水中における値、以下同様）は、縦方向収縮率（フィルム構造体１の縦方向の収縮率）および横方向収縮率（フィルム構造体１の横方向の収縮率）がそれぞれ０〜７０％の範囲にあるのが適当である。また、熱収縮性フィルムの厚さは２０〜６０μｍ程度が適当である。しかし、本実施の形態の包装用フィルム構造体にも、実施の形態１と同様に、熱収縮性フィルムのほか、たとえばポリエチレンテレフタレートフィルムなどポリエステル系フィルム、ポリプロピレン系フィルム、ナイロン系フィルムなどの一般の包装材料を使用することもできる。
【００２４】
本実施の形態の接着剤層８に用いられる接着剤は、実施の形態１と同様に、ポリエステル系フィルムには、たとえばテトラヒドラフラン（ＴＨＦ）、１，３−ジオキソランなどの溶剤、ポリエステル系フィルムには、たとえば酢酸エチル／アルコールとメチルエチルケトン（ＭＥＫ）／アルコールの混合液、そしてポリエステル系フィルムとポリプロピレン系フィルムの接着等には、たとえばウレタン系接着剤やポリエステル系接着剤があげられる。
【００２５】
さらに、本実施の形態の変形例にかかわる包装用フィルム構造体１は、矩形状の第１フィルム２と第２フィルム２とから構成され、前記第１フィルム２の対向する両側縁２ｂ、２ｃが折り返され、接着剤層８を介して前記第１フィルム２の折り返された側縁２ｂと第１フィルム２の折り返された側縁２ｃとが接続されて、第１の空間Ａが設けられ、前記第１フィルム２の非折り返し部２ａの少なくとも一部を覆うように第２フィルム３が接着剤層８を介して第２フィルム３を被着して、第２の空間Ｂを設けるようにすることもできる。これは、図４に示される場合では、第１フィルム２の折り返し部２ｂ、２ｃ側に第２フィルム３を設けていたのに対して、非折り返し部２ａ側に第２フィルム３を設けるようにしたものである。
【図面の簡単な説明】
【００２６】
【図１】本考案の一実施の形態にかかわる包装用フィルム構造体を示す説明図である。
【図２】本考案の他の実施の形態にかかわる包装用フィルム構造体を示す説明図である。
【図３】本考案の実施の形態１にかかわる包装用フィルム構造体を示す断面説明図である。
【図４】本考案の実施の形態２にかかわる包装用フィルム構造体を示す断面説明図である。
【図５】従来の包装用フィルム構造体の一例を示す説明図である。
【図６】従来の包装用フィルム構造体の被着方法を示す説明図である。
【図７】従来の包装用フィルム構造体の他の例を示す説明図である。
【図８】従来の包装用フィルム構造体のさらに他の例を示す説明図である。
【符号の説明】
【００２７】
１  包装用フィルム構造体
２  第１フィルム
３  第２フィルム
８  接着剤層
【図１】
0003110823.tif 000003
【図２】
0003110823.tif 000004
【図３】
0003110823.tif 000005
【図４】
0003110823.tif 000006
【図５】
0003110823.tif 000007
【図６】
0003110823.tif 000008
【図７】
0003110823.tif 000009
【図８】
0003110823.tif 000010